(57)【要約】【課題】同時に出力する時間値と平均値とのデータ収集範囲の終期のずれを解消することができる環境測定装置及び設置局システムを提供することを目的とする。【解決手段】測定部は環境から継続的に採取する試料中の測定対象物の量に関する測定値を得て、通信部は外部装置からリセット信号を受信し、算出部はリセット信号を受信してから現在までの測定値に基づいて現在の測定時間帯の時間値を算出し、記憶部には通信部がリセット信号を受信したときの現在の測定時間帯の時間値が、当該リセット信号とその１つ前のリセット信号との間の測定時間帯の時間値として記憶され、制御部は前記各部を含む全体を統括して制御し、算出部は、現在の測定時間帯の時間値と、複数の前記記憶部に記憶された時間値とに基づいて、所定の測定期間における平均値を算出し、通信部は、現在の測定時間帯の時間値と、平均値と、を外部装置に出力することを特徴とする。【選択図】図３
2017182357.tif 000002
【特許請求の範囲】
【請求項１】
環境から継続的に採取する試料中の測定対象物の量に関する測定値を得る測定部と、
外部装置からリセット信号を受信する通信部と、
前記リセット信号を受信してから現在までの前記測定値に基づいて現在の測定時間帯の時間値を算出する算出部と、
前記通信部がリセット信号を受信したときの前記現在の測定時間帯の時間値が、当該リセット信号とその１つ前のリセット信号との間の測定時間帯の時間値として記憶される記憶部と、
前記各部を含む全体を統括して制御する制御部と、を備え、
前記算出部は、前記現在の測定時間帯の時間値と、複数の前記記憶部に記憶された時間値とに基づいて、所定の測定期間における平均値を算出し、
前記通信部は、前記現在の測定時間帯の時間値と、前記平均値と、を前記外部装置に出力することを特徴とする環境測定装置。
【請求項２】
前記環境測定装置の動作状態を検出し、検出した動作状態に応じて前記現在の測定時間帯の時間値の有効性を判定し、判定した結果に基づいて有効又は無効を示す識別値を生成する判定部を備え、
前記判定部が生成した識別値は、前記判定の対象となった現在の測定時間帯の時間値が記憶される際に、該時間値に係る識別値として前記記憶部に記憶され、
前記算出部は、前記判定部が生成した現在の測定時間帯の時間値に係る識別値と、前記記憶部に記憶された時間値に係る識別値とを判別し、有効を示す識別値を有する時間値のみを選択して前記平均値を算出することを特徴とする請求項１に記載の環境測定装置。
【請求項３】
前記判定部は、前記算出部が選択した時間値の数に応じて前記平均値の有効性を判定し、判定した結果に基づいて有効又は無効を示す識別値を生成し、
前記通信部は、前記判定部が生成した現在の測定時間帯の時間値に係る識別値と、前記平均値に係る識別値と、を外部装置に出力することを特徴とする請求項２に記載の環境測定装置。
【請求項４】
請求項１から請求項３のいずれか一項に記載の環境測定装置の１以上と前記外部装置を備える設置局システムであって、
前記外部装置は、テレメータ装置であり、
前記テレメータ装置は、所定のデータ収集時間毎の予め定めたリセット時刻に、前記環境測定装置が出力する現在の測定時間帯の時間値と平均値とを受信するとともに前記リセット信号を前記環境測定装置に送信し、受信した現在の測定時間帯の時間値を、当該リセット時刻までの所定のデータ収集時間における時間値とし、受信した平均値を、当該リセット時刻までの所定のデータ収集期間における平均値として、各々データ収集装置に送信することを特徴とする設置局システム。
【発明の詳細な説明】
【技術分野】
【０００１】
本発明は、環境測定装置及び設置局システムに関する。
【背景技術】
【０００２】
従来から環境の状態を測定するために種々の環境測定装置が用いられている。特に、大気汚染物質、例えば、微小粒子状物質（いわゆる、ＰＭ：Ｐａｒｔｉｃｕｌａｔｅ  Ｍａｔｔｅｒ  ２．５）、塵埃（ダスト）、その他の粒子状物質や、窒素酸化物（ＮＯｘ）、硫黄酸化物（ＳＯｘ）等を測定するために、環境測定装置が用いられている。
【０００３】
非特許文献１に示すように、大気汚染については、大気汚染防止法の規定により常時監視が義務づけられており、環境測定装置が測定した測定データを収集する常時監視システムが体系化されている。
この常時監視システムは、各測定地点に設置された環境測定装置と、中央監視局に設置されたデータ収集装置と、各測定地点の環境測定装置から中央監視局のデータ収集装置に測定データを伝送するテレメータ装置（以下、単に「テレメータ」という。）とから構成されている。具体的には、図１に示すような常時監視システム１が構築されている。
【０００４】
常時監視システム１では、各測定地点に設置局が配置され、設置局には、１以上の環境測定装置１１とテレメータ２１からなる設置局システム２が構築されている。また、中央監視局には、１個のデータ収集装置３１が設置され、複数の設置局システム２から測定データを収集するようになっている。
データ収集装置３１は、測定対象にもよるが、通常、所定のデータ収集時間における時間値と、所定のデータ収集期間における平均値の測定データ等を収集している。
【０００５】
所定のデータ収集時間における時間値とは、所定の長さのデータ収集時間（例えば、1時間）における測定データをいい、例えば、データ収集時間が１時間である場合は「１時間値」という。常時監視システム１における1時間値は、環境大気常時監視マニュアルに定められた１時間値の算出方法により算出される。演算方式は、測定対象の種類によって異なり、例えば、瞬時値の時間平均をとる平均値型や最終値と初期値の差をとる積算型がある（非特許文献１のｐ．２９６〜２９８参照。）。
所定のデータ収集期間における平均値とは、所定の期間（例えば、１日）における測定データの平均値をいい、例えば、所定のデータ収集期間が１日（２４時間）である場合は「日平均値」あるいは「２４時間平均値」という。
そして、常時監視システム１では、通常、ある正時から次の正時（例えば、０時００分００秒から１時００分００秒）までの測定時間帯において環境測定装置１１により測定された１時間値と、過去２４時間の測定データの平均値である２４時間平均値とを１時間毎に連続的に収集し、監視している。
【０００６】
従来の常時監視システム１の設置局システム２は、１時間値と２４時間平均値を図６に示すようにデータ収集装置３１に送信していた。
すなわち、テレメータ２１は、所定のデータ収集時間毎の予め定めた時刻（以下「リセット時刻」という。）になると、環境測定装置１１が出力している１時間値と２４時間平均値を受信する（取り込む）とともにリセット信号を環境測定装置１１に送信する（ステップＳ２１１）。そして、取り込んだ１時間値と２４時間平均値を、各々確定値としてデータ収集装置３１に送信する（ステップＳ２１２）。
環境測定装置１１は、テレメータ２１からリセット信号を受信すると（ステップＳ１１１’）、その時点（リセット時刻）において出力している１時間値を、受信したリセット信号とその１つ前のリセット信号との間の測定時間帯の１時間値として記憶する（ステップＳ１１２’）。その後、記憶した直近２４個の測定時間帯の１時間値を平均して２４時間平均値を算出する（ステップＳ１１４’）。また、環境測定装置１１は、テレメータ２１から最後にリセット信号を受信した以降に取得した測定値に基づいて１時間値を算出する（ステップＳ１１３’）。
そして、環境測定装置１１は、算出した１時間値と２４時間平均値とをテレメータ２１に出力する（ステップＳ１１５’）。
テレメータ２１は、次のリセット時刻になると再び、環境測定装置１１が出力している１時間値と２４時間平均値を取り込むとともにリセット信号を送信する（ステップＳ２１１）。
【先行技術文献】
【非特許文献】
【０００７】
【非特許文献１】環境省  水・大気環境局編「環境大気常時監視マニュアル」，第６版，平成２２年３月，ｐ．２５９−３１３
【発明の概要】
【発明が解決しようとする課題】
【０００８】
従来の環境測定装置１１は、２４時間平均値を算出する際（ステップＳ１１４’）、記憶部に記憶された２４個の測定時間帯の１時間値を用いる。そのため、テレメータ２１がリセット時刻に取り込む２４時間平均値のデータ収集期間の終期は、同時に取り込む１時間値のデータ収集時間の終期より１時間前（過去）である。すなわち、２４時間平均値は、１時間値よりも１時間（１周期）遅れのデータとなっていた。そのため、データ収集装置３１に送信された２４時間平均値は、同時にデータ収集装置３１に送信された１時間値を含む直近２４個の１時間値を平均した値と一致せず、混乱を招きやすいという問題を生じていた。
【０００９】
本発明は上記の点に鑑みてなされたものであり、同時に出力する時間値と平均値とのデータ収集範囲の終期のずれを解消することができる環境測定装置及び設置局システムを提供することを目的とする。
【課題を解決するための手段】
【００１０】
上記の目的を達成するために、本発明は以下の構成を採用した。
［１］環境から継続的に採取する試料中の測定対象物の量に関する測定値を得る測定部と、
外部装置からリセット信号を受信する通信部と、
前記リセット信号を受信してから現在までの前記測定値に基づいて現在の測定時間帯の時間値を算出する算出部と、
前記通信部がリセット信号を受信したときの前記現在の測定時間帯の時間値が、当該リセット信号とその１つ前のリセット信号との間の測定時間帯の時間値として記憶される記憶部と、
前記各部を含む全体を統括して制御する制御部と、を備え、
前記算出部は、前記現在の測定時間帯の時間値と、複数の前記記憶部に記憶された時間値とに基づいて、所定の測定期間における平均値を算出し、
前記通信部は、前記現在の測定時間帯の時間値と、前記平均値と、を前記外部装置に出力することを特徴とする環境測定装置。
【００１１】
［２］前記環境測定装置の動作状態を検出し、検出した動作状態に応じて前記現在の測定時間帯の時間値の有効性を判定し、判定した結果に基づいて有効又は無効を示す識別値を生成する判定部を備え、
前記判定部が生成した識別値は、前記判定の対象となった現在の測定時間帯の時間値が記憶される際に、該時間値に係る識別値として前記記憶部に記憶され、
前記算出部は、前記判定部が生成した現在の測定時間帯の時間値に係る識別値と、前記記憶部に記憶された時間値に係る識別値とを判別し、有効を示す識別値を有する時間値のみを選択して前記平均値を算出することを特徴とする［１］に記載の環境測定装置。
【００１２】
［３］前記判定部は、前記算出部が選択した時間値の数に応じて前記平均値の有効性を判定し、判定した結果に基づいて有効又は無効を示す識別値を生成し、
前記通信部は、前記判定部が生成した現在の測定時間帯の時間値に係る識別値と、前記平均値に係る識別値と、を外部装置に出力することを特徴とする［２］に記載の環境測定装置。
【００１３】
［４］［１］から［３］のいずれかに記載の環境測定装置の１以上と前記外部装置を備える設置局システムであって、
前記外部装置は、テレメータ装置であり、
前記テレメータ装置は、所定のデータ収集時間毎の予め定めたリセット時刻に、前記環境測定装置が出力する現在の測定時間帯の時間値と平均値とを受信するとともに前記リセット信号を前記環境測定装置に送信し、受信した現在の測定時間帯の時間値を、当該リセット時刻までの所定のデータ収集時間における時間値とし、受信した平均値を、当該リセット時刻までの所定のデータ収集期間における平均値として、各々データ収集装置に送信することを特徴とする設置局システム。
【発明の効果】
【００１４】
本発明によれば、同時に出力する時間値と平均値とのデータ収集範囲の終期のずれを解消することができる。
【図面の簡単な説明】
【００１５】
【図１】本発明の第１の実施形態に係る設置局システム及び常時監視システムの構成を表す概略ブロック図である。
【図２】本発明の第１の実施形態に係る環境測定装置の構成を表す概略ブロック図である。
【図３】本発明の第１の実施形態に係るデータ処理を表すフローチャートである。
【図４】本発明の第２の実施形態に係る環境測定装置の構成を表す概略ブロック図である。
【図５】本発明の第２の実施形態に係るデータ処理を表すフローチャートである。
【図６】従来のデータ処理を表すフローチャートである。
【発明を実施するための形態】
【００１６】
［第１の実施形態］
以下、図面を参照しながら本発明の第１の実施形態について説明する。本実施形態では、設置局システムがデータ収集装置に送信する測定データは、１時間値（すなわち、所定のデータ収集時間は１時間）及び２４時間平均値（すなわち、所定のデータ収集期間は２４時間）である。また、試料は、環境中の大気である。
【００１７】
＜システム構成＞
本実施形態の設置局システム２の基本的な構成は従来技術と同様であり、図１の概略ブロック図で表すことができる。すなわち、各測定地点に配置された設置局に構築された設置局システム２は、１以上の環境測定装置１１とテレメータ２１により構成される。また、設置局システム２の１以上と、中央監視局に配置されたデータ収集装置３１により常時監視システム１が構成される。
【００１８】
テレメータ２１は、時刻を計測する計時部（タイマ）と通信部と制御部を備える。テレメータ２１は、制御部の制御及び計時部の計時に従い所定のデータ収集時間毎（本実施形態では１時間毎）の予め定めたリセット時刻（例えば、毎正時）になると、通信部を通じて、環境測定装置１１が出力している測定データ（後に詳述する、現在の測定時間帯の時間値及び所定の測定期間における平均値等）を受信し、かつ、リセット信号を環境測定装置１１に送信する。また、環境測定装置１１から受信した測定データ等を、通信部を通じてデータ収集装置３１に送信する。
【００１９】
図２は、本実施形態に係る環境測定装置１１の構成を表す概略ブロック図である。
環境測定装置１１は、測定部１１１、制御部１１２、算出部１１３、通信部１１４、及び記憶部１１５を含んで構成される。制御部１１２は、測定部１１１、算出部１１３、通信部１１４及びその他の部分を含む環境測定装置１１全体を統括して制御する。
【００２０】
測定部１１１は、制御部１１２の制御に従い、周囲の環境から試料としての大気を継続的に採取し、採取した大気に含まれている測定対象物の量に関する測定値を得る。また、得られた測定値を示す測定値信号を算出部１１３に出力する。
【００２１】
算出部１１３は、測定部１１１から入力された測定値信号（測定値）に基づいて現在の測定時間帯の時間値を算出する。また、所定の測定期間における平均値を算出する。算出部１１３は、算出した現在の測定時間帯の時間値及び所定の測定期間における平均値を通信部１１４に出力する。
【００２２】
通信部１１４は、例えば通信インタフェースを含んで構成される。通信部１１４は、テレメータ２１との間で各種のデータを送信及び受信する。例えば、算出部１１３から入力された現在の測定時間帯の時間値と所定の測定期間における平均値とを含む測定データをテレメータ２１に出力し、テレメータ２１からはリセット信号を受信する。
【００２３】
制御部１１２は、通信部１１４を通じてリセット信号を受け取った際に、現在の測定時間帯の時間値を記憶部１１５への出力するよう算出部１１３に指示する。出力された現在の測定時間帯の時間値は、通信部１１４が受信したリセット信号とその１つ前のリセット信号との間の測定時間帯の時間値（以下「リセット信号間の時間値」ということがある。）として、記憶部１１５に記憶される。
記憶部１１５は記憶媒体を含んで構成される。記憶部１１５は、上述のリセット信号間の時間値、その他の必要な情報を記憶するようになっている。
【００２４】
＜システムによるデータ処理＞
図３は、本実施形態に係るデータ処理を表すフローチャートである。
（ステップＳ２１１）テレメータ２１は、リセット時刻になると、環境測定装置１１が出力している現在の測定時間帯の時間値と所定の測定期間における平均値とを受信するとともにリセット信号を環境測定装置１１に送信する。その後、ステップＳ２１２に進む。
（ステップＳ２１２）テレメータ２１は、環境測定装置１１から受信した現在の測定時間帯の時間値を、リセット時刻までの所定のデータ収集時間における時間値（１時間値の確定値）としてデータ収集装置３１に送信する。また、環境測定装置１１から受信した所定の測定期間における平均値を、リセット時刻までの所定のデータ収集期間における平均値（２４時間平均値の確定値）としてデータ収集装置３１に送信する。
その後、テレメータ２１は、次のリセット時刻になると再びステップＳ２１１の処理を行う。
【００２５】
（ステップＳ１１１）環境測定装置１１は、テレメータ２１からリセット信号を受信する。その後、ステップＳ１１２及びステップＳ１１３に進む。
（ステップＳ１１２）環境測定装置１１は、リセット信号受信時における現在の測定時間帯の時間値を、受信したリセット信号とその１つ前のリセット信号との間の測定時間帯の時間値（リセット信号間の時間値）として記憶する。その後、ステップＳ１１４に進む。
（ステップＳ１１３）環境測定装置１１は、リセット信号を受信してから現在までに測定した測定値に基づいて現在の測定時間帯の時間値を算出する。その後、ステップＳ１１４に進む。
（ステップＳ１１４）環境測定装置１１は、現在の測定時間帯の時間値と、複数の記憶部１１５に記憶された時間値（リセット信号間の時間値）とに基づいて所定の測定期間における平均値を算出する。その後、ステップＳ１１５に進む。
（ステップＳ１１５）環境測定装置１１は、現在の測定時間帯の時間値と所定の測定期間における平均値とを含む測定データをテレメータ２１に出力する。
その後、環境測定装置１１は、再びリセット信号を受信する（ステップＳ１１１）まで、ステップＳ１１３、Ｓ１１４及びＳ１１５の処理を繰り返す。
【００２６】
テレメータ２１は、所定のデータ収集時間毎の予め定めたリセット時刻にリセット信号を送信する。各設置局に設置される環境測定装置１１の数が複数の場合、テレメータ２１は、自装置の設置局に属する環境測定装置１１のそれぞれにリセット信号を送信する。これにより、環境測定装置１１が出力する測定データ間において基準時が統一される。複数個の環境測定装置１１間で異なる測定対象物の濃度が測定される場合には、測定対象物間で基準時が統一される。
【００２７】
以下、本実施形態における各ステップについて詳述する。
（ステップＳ２１１）
ステップＳ２１１では、テレメータ２１の計時部の計時に従い１時間毎の予め定めたリセット時刻になると、テレメータ２１の通信部は、環境測定装置１１が出力している現在の測定時間帯の時間値と所定の測定期間における平均値を受信するとともにリセット信号を環境測定装置１１に送信する。すなわち、テレメータ２１において、測定データの取り込み（受信）とリセット信号の送信が、ほぼ同時に行われる。
（ステップＳ２１２）
ステップＳ２１２では、テレメータ２１の通信部は、環境測定装置１１から受信した現在の測定時間帯の時間値を、リセット時刻までの１時間の１時間値（確定値）としてデータ収集装置３１に送信する。また、テレメータ２１の通信部は、環境測定装置１１から受信した所定の測定期間における平均値を、リセット時刻までの２４時間の２４時間平均値（確定値）としてデータ収集装置３１に送信する。
そして、テレメータ２１は、次のリセット時刻になると再びステップＳ２１２の処理を行う。
【００２８】
（ステップＳ１１１）
ステップＳ１１１では、環境測定装置１１の通信部１１４が、テレメータ２１からリセット信号を受信する。このステップＳ１１１は、上述のステップＳ２１１のリセット信号の送信と同期している。
（ステップＳ１１２）
ステップＳ１１２では、環境測定装置１１の制御部１１２は、リセット信号を受信したときの現在の測定時間帯の時間値を、受信したリセット信号とその１つ前のリセット信号との間の測定時間帯の時間値として記憶部１１５に記憶させる。つまり、環境測定装置１１の制御部１１２は、テレメータ２１から受信するリセット信号をトリガーとして、リセット時刻における現在の測定時間帯の時間値をリセット信号間の時間値として記憶する。
【００２９】
（ステップＳ１１３）
ステップＳ１１３では、環境測定装置１１の算出部１１３は、リセット信号を受信してから現在までに測定部１１１が測定した測定値に基づいて現在の測定時間帯の時間値を算出する。つまり、環境測定装置１１の算出部１１３は、テレメータ２１から受信するリセット信号をトリガーとして、現在の測定時間帯の時間値の算出を開始する。
現在の測定時間帯の時間値の算出方法は、最終的にデータ収集装置３１が収集する所定のデータ収集時間における時間値（１時間値）の算出方法と同様である。本実施形態においては、非特許文献１に記載の１時間値の算出方法により算出することができる。
【００３０】
現在の測定時間帯の時間値は、リセット信号を受信してから現在までの測定値に基づいて算出されるため時々刻々と変化するが、テレメータ２１が受信する（読み込む）時間値は、リセット時刻における現在の測定時間帯の時間値である。リセット時刻は１時間周期であるため、リセット時刻における現在の測定時間帯の時間値は、１時間値の確定値として定めることができる。
また、リセット時刻における現在の測定時間帯の時間値は、環境測定装置１１の記憶部１１５に、受信したリセット信号とその１つ前のリセット信号との間の測定時間帯の時間値（リセット信号間の時間値）として記憶される。したがって、あるリセット信号をトリガーとして、環境測定装置１１が記憶するリセット信号間の時間値と、データ収集装置３１に出力される１時間値（確定値）とは、同一の値である。
【００３１】
（ステップＳ１１４）
ステップＳ１１４では、環境測定装置１１の算出部１１３は、現在の測定時間帯の時間値と、ステップＳ１１２によって現在までに記憶部１１５に記憶された測定時間帯の時間値（リセット信号間の時間値）のうちの直近２３個とを平均して所定の測定期間における平均値を算出する。すなわち、環境測定装置１１の算出部１１３は、現在の測定時間帯の時間値を含めた２４個の時間値に基づいて、式（１）に示すように所定の測定期間における平均値Ｃｄを算出することができる。
【００３２】
【数１】
2017182357.tif 000003
【００３３】
ｎ：所定のデータ収集期間（時間換算値）／所定のデータ収集時間
Ｃ０（ｔ）：現在の測定時間帯の時間値
Ｃｉ：ｉ回前の測定時間帯の時間値
【００３４】
ここで、ｉ回前の測定時間帯の時間値Ｃｉは、ステップＳ１１２で、記憶部１１５に記憶された測定時間帯の時間値（リセット信号間の時間値）である。直前のリセット信号をトリガーとして記憶されたリセット信号間の時間値は、１回前の測定時間帯の時間値である。また、ｎは、本実施形態の場合、２４／１＝２４となる。
【００３５】
（ステップＳ１１５）
ステップＳ１１５では、環境測定装置１１の通信部１１４は、現在の測定時間帯の時間値と所定の測定期間における平均値とを含む測定データをテレメータ２１に出力する。
【００３６】
現在の測定時間帯の時間値Ｃ０（ｔ）は、上述のとおり時々刻々と変化するものであるため、所定の測定期間における平均値Ｃｄも時々刻々と変化するが、テレメータ２１が受信する（読み込む）時間値は、リセット時刻における所定の測定期間における平均値である。
上述のとおり、リセット時刻における現在の測定時間帯の時間値は、１時間値の確定値として定めることができる。また、記憶された測定時間帯の時間値（リセット信号間の時間値）は、対応する１時間値の確定値と同じ値である。したがって、上述の式（１）によって算出したリセット時刻における所定の測定期間における平均値Ｃｄは、２４時間平均値の確定値として定めることができる。
【００３７】
そして、リセット時刻において環境測定装置１１が出力する現在の測定時間帯の時間値のデータ収集時間の終期と所定の測定期間における平均値のデータ収集期間の終期は、いずれもリセット時刻である。また、テレメータ２１がデータ収集装置３１に送信する１時間値（確定値）のデータ収集時間の終期と２４時間平均値（確定値）のデータ収集期間の終期は、いずれもリセット時刻である。すなわち、本実施形態のシステムによれば、環境測定装置１１及びテレメータ２１において、各々が同時に出力する時間値と平均値とのデータ収集範囲の終期のずれが解消される。
【００３８】
［第２の実施形態］
＜システム構成＞
次に、本発明の第２の実施形態について説明する。上述の第１の実施形態と同一の構成については、同一の符号を付して説明を援用し、以下では、第１の実施形態と異なる点を中心に説明する。
本実施形態に係る常時監視システムにおける設置局システムは、環境測定装置１１を、図４に示す環境測定装置１１ａに代えた他は、第１実施形態の設置局システム２と同一である。本実施形態でも、設置局システムがデータ収集装置に送信する測定データは、１時間値（すなわち、所定のデータ収集時間は１時間）及び２４時間平均値（すなわち、所定のデータ収集期間は２４時間）である。また、試料は、環境中の大気である。
【００３９】
図４は、本実施形態に係る環境測定装置１１ａの構成を表す概略ブロック図である。
環境測定装置１１ａは、測定部１１１、制御部１１２ａ、算出部１１３ａ、通信部１１４ａ、記憶部１１５ａ、及び判定部１１６ａを含んで構成される。
【００４０】
判定部１１６ａは、自装置（環境測定装置１１ａ）の動作状態を検出し、検出した動作状態に応じて算出部１１３ａで算出される現在の測定時間帯の時間値の有効性を判定する。また、判定した結果に基づいて有効又は無効を示す識別値（例えば、有効の場合１、無効の場合０）を生成する。
【００４１】
判定部１１６ａが有効性判定のために検出する動作状態として、欠測事象や異常値の発生等が挙げられる。
欠測事象とは測定値の精度に著しく影響を与える事象である。欠測事象には、例えば、環境測定装置１１の保守、点検、異常（正常な測定ができない状態）等がある。判定部１１６ａは、環境測定装置１１ａに備えられた所定のボタンが押下されたことや、環境測定装置１１ａの筐体のドア等が開放されたこと、停電、あるいは環境測定装置１１ａの一部の部材（例えば、検出器の光源、測定対象物を捕集するフィルタ、電磁弁等）の異常（消耗、不足等を含む）を検出することによって欠測事象を検出することができる。検出手段は、電気的、機械的、光学的、いずれの検出原理を用いたものであってもよい。判定部１１６ａは、欠測事象を検出したとき、その時点において算出される現在の測定時間帯の時間値が無効であると判定することができる。
【００４２】
異常値は、通常の測定状態では測定され得ない測定値である。判定部１１６ａは、測定値が、予め定めた測定値の下限よりも低い場合、又は上限よりも高い場合、その測定値が異常値であると判定することができる。判定部１１６ａは、異常値を検出したとき、その時点において算出される現在の測定時間帯の時間値が無効であると判定することができる。
【００４３】
また、判定部１１６ａは、有効性判定のために検出する動作状態として、算出部１１３ａが現在の測定時間帯の時間値を算出する際に算出条件を満たしているか否かを検出し、検出した状態に応じて現在の測定時間帯の時間値の有効性を判定するようになっていてもよい。例えば、現在の測定時間帯の時間値の算出が、瞬時値の時間平均をとるものである場合に、判定部１１６ａは、瞬時値の有効収集回数が所定の回数未満のとき、現在の測定時間帯の時間値が無効であると判定することができる。
【００４４】
制御部１１２ａは、通信部１１４ａを通じてリセット信号を受け取り、現在の測定時間帯の時間値をリセット信号間の時間値として記憶させる際に、判定部１１６ａが生成した識別値を判定の対象となった測定時間帯の時間値に係る識別値（受信したリセット信号をトリガーとして記憶させるリセット信号間の時間値に係る識別値）として記憶部１１５に記憶させる。
【００４５】
算出部１１３ａは、所定の測定期間における平均値の算出にあたり、判定部１１６ａが生成した現在の測定時間帯の時間値に係る識別値と、リセット信号間の時間値に係る識別値とを判別し、有効を示す識別値を有する時間値のみを選択する。
また、判定部１１６ａは、算出部１１３ａが選択した時間値の数に応じて所定の測定期間における平均値の有効性を判定する。そして、判定した結果に基づいて有効又は無効を示す識別値（例えば、有効の場合１、無効の場合０）を生成する。
通信部１１４ａは、算出部１１３ａが算出した現在の測定時間帯の時間値及び所定の測定期間における平均値に加えて、判定部１１６ａが生成した現在の測定時間帯の時間値に係る識別値及び所定の測定期間における平均値に係る識別値をテレメータ２１に送信する。
【００４６】
＜システムによるデータ処理＞
次に、本実施形態に係るデータ処理について説明する。本実施形態における環境測定装置１１ａとテレメータ２１との間で送信又は受信されるデータの種類、順序は図３に示すデータ処理と概ね同様であるので、以下の説明では、図５に基づき、主に環境測定装置１１ａ内で行われる処理について述べる。
【００４７】
（ステップＳ１１１）
ステップＳ１１１では、環境測定装置１１ａの通信部１１４ａは、テレメータ２１からリセット信号を受信する。
（ステップＳ１１２a）
ステップＳ１１２aでは、環境測定装置１１ａの制御部１１２ａは、リセット信号を受信したときの現在の測定時間帯の時間値を、受信したリセット信号とその１つ前のリセット信号との間の測定時間帯の時間値（リセット信号間の時間値）として記憶部１１５ａに記憶させる。また、後述のステップＳ１２３で判定部１１６ａが生成した現在の測定時間帯の時間値に係る識別値を、制御部１１２ａは、判定の対象となった測定時間帯の時間値に係る識別値（同時に記憶させるリセット信号間の時間値に係る識別値）として記憶部１１５ａに記憶させる。
（ステップＳ１１３）
ステップＳ１１３では、環境測定装置１１ａの算出部１１３ａは、リセット信号を受信してから現在までに測定部１１１が測定した測定値に基づいて現在の測定時間帯の時間値を算出する。なお、現在の測定時間帯の時間値を算出する方法は、第１の実施形態と同様である。
【００４８】
（ステップＳ１２３）
ステップＳ１２３では、環境測定装置１１ａの判定部１１６ａは、自装置（環境測定装置１１ａ）の動作状態を検出し、検出した動作状態に応じて算出部１１３ａで算出される現在の測定時間帯の時間値の有効性を判定する。判定は、上述のとおり欠測事象や異常値の検出の有無、あるいは現在の測定時間帯の時間値を算出する際に算出条件を満たしているか否か等により行われる。また、判定部１１６ａは、判定した結果に基づいて有効又は無効を示す識別値（有効の場合１、無効の場合０）を生成する。
【００４９】
（ステップＳ１１４ａ）
ステップＳ１１４ａでは、環境測定装置１１ａの算出部１１３ａは、判定部１１６ａが生成した現在の測定時間帯の時間値に係る識別値と、リセット信号間の時間値に係る識別値とを判別し、有効を示す識別値を有する時間値のみを選択して所定の測定期間における平均値の算出を行う。すなわち、算出部１１３ａは、有効な時間値のみを用いて所定の測定期間における平均値の算出を行う。
時間値の選択は、以下のように識別値を判別することにより行われる。すなわち、現在の測定時間帯の時間値に係る識別値が有効を示すものである場合は、現在の測定時間帯の時間値が選択されるが、無効を示すものである場合には、現在の測定時間帯の時間値は選択されない。また、ステップＳ１１２aによって現在までに記憶部１１５aに記憶された直近２３個のリセット信号間の時間値のうち、有効を示す識別値を有する時間値は選択されるが、無効を示す識別値を有する時間値は選択されない。
所定の測定期間における平均値の算出は、以下のようにして行うことができる。まず、算出部１１３ａは、有効な時間値の数ｎ’を、例えば、以下の式（２）により求める。
【００５０】
【数２】
2017182357.tif 000004
【００５１】
ｎ：所定のデータ収集期間（時間換算値）／所定のデータ収集時間
Ａ０：現在の測定時間帯の時間値Ｃ０（ｔ）に係る識別値（有効の場合１、無効の場合０）
Ａｉ：Ｃｉに係る識別値（有効の場合１、無効の場合０）
Ｃｉ：ｉ回前の測定時間帯の時間値
【００５２】
現在の測定時間帯の時間値Ｃ０（ｔ）に係る識別値Ａ０は、ステップＳ１２３で欠測事由等が検出されない場合は１（有効）であり、欠測事由等が検出された場合は０（無効）である。
また、ｉ回前の測定時間帯の時間値Ｃｉは、ステップＳ１１２aで、記憶部１１５ａに記憶された測定時間帯の時間値（リセット信号間の時間値）である。直前のリセット信号をトリガーとして記憶されたリセット信号間の時間値は、１回前の測定時間帯の時間値である。そして、Ｃｉに係る識別値Ａｉは、ステップＳ１１２aで、リセット信号間の時間値に係る識別値（判定の対象となった測定時間帯の時間値に係る識別値）として記憶された識別値である。識別値Ａｉは、上述の識別値Ａ０と同様に、ステップＳ１２３で欠測事由等が検出されなかった場合は１（有効）であり、欠測事由等が検出された場合は０（無効）である。また、ｎは、本実施形態の場合、２４／１＝２４となる。
【００５３】
次に、算出部１１３ａは、以下の式（３）を用いて、所定の測定期間における平均値Ｃｄを算出する。式（３）における符号の意味は、式（２）について説明した符号の意味と同様である。
【００５４】
【数３】
2017182357.tif 000005
【００５５】
（ステップＳ１２４）
ステップＳ１２４では、環境測定装置１１ａの判定部１１６ａは、ステップＳ１１４ａで算出部１１３ａが選択した時間値の数に応じて、所定の測定期間における平均値の有効性を判定する。また、判定部１１６ａは、判定した結果に基づいて有効又は無効を示す識別値（有効の場合１、無効の場合０）を生成する。判定は、ステップＳ１１４ａで算出部１１３ａが選択した時間値の数ｎ’を計数し、計数した数ｎ’が所定数ｎｅ以上であるか否かにより行われる。ｎ’が所定数ｎｅ以上である場合には、所定の測定期間における平均値は有効であり、識別値は１と定められる。また、ｎ’が所定数ｎｅ未満である場合には、所定の測定期間における平均値は無効であり、識別値は０と定められる。
【００５６】
（ステップＳ１１５ａ）
ステップＳ１１５ａでは、環境測定装置１１の通信部１１４ａは、現在の測定時間帯の時間値と所定の測定期間における平均値とを含む測定データ、及び判定部１１６ａが生成した現在の測定時間帯の時間値に係る識別値と所定の測定期間における平均値に係る識別値、をテレメータ２１に出力する。
なお、所定の測定期間における平均値の識別値が０（無効）である場合、通信部１１４ａは、所定の測定期間における平均値を０又は不定として出力してもよい。
本実施形態に係るデータ処理のその他の部分は、第１の実施形態に係るデータ処理と同様である。
【００５７】
本実施形態のシステムによれば、第１の実施形態のシステムと同様に、環境測定装置１１及びテレメータ２１において、各々が同時に出力する時間値と平均値とのデータ収集範囲の終期のずれが解消される。
また、所定のデータ収集期間内（直近２４時間内）に、欠測事象等による無効な所定のデータ収集時間における時間値（１時間値）が含まれても、これを排除して、所定のデータ収集期間における平均値（２４時間値）が算出される。そのため、所定のデータ収集期間における平均値の精度が確保される。
また、現在の測定時間帯の時間値の有効又は無効を示す識別値と所定の測定期間における平均値の有効又は無効を示す識別値とが出力されるため、時間値及び平均値の有効性が容易に判断されうる。
【００５８】
なお、上述した実施形態における環境測定装置１１、１１ａ及びテレメータ２１の一部、例えば、制御部１１２、１１２ａ、算出部１１３、１１３ａ、判定部１１６ａをコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、環境測定装置１１、１１ａ又はテレメータ２１に内蔵されたコンピュータシステムであって、ＯＳや周辺機器等のハードウェアを含むものとする。また、上述した実施形態における環境測定装置１１、１１ａ及びテレメータ２１の一部、又は全部を、ＬＳＩ（Ｌａｒｇｅ  Ｓｃａｌｅ  Ｉｎｔｅｇｒａｔｉｏｎ）等の集積回路として実現してもよい。環境測定装置１１、１１ａ及びテレメータ２１の各機能ブロックは個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【００５９】
また、上記各実施形態では、所定のデータ収集時間を１時間、所定のデータ収集期間を２４時間としたが、各々限定されない。例えば、所定のデータ収集時間を１時間とし所定のデータ収集期間を８時間としてもよい。また、所定のデータ収集時間を３０分、所定のデータ収集期間を２４時間としてもよい。
例えば、所定のデータ収集時間を３０分とした場合、上記各実施形態における１時間平均値は、３０分平均値と読み替えればよい。また、所定のデータ収集期間を８時間とした場合、上記各実施形態における２４時間平均値は、８時間平均値と読み替えればよい。
また、試料は大気に限られず、例えば、河川水等でもよい。
【符号の説明】
【００６０】
１…環境測定システム、２…設置局システム、１１、１１ａ…環境測定装置、１１１…測定部、１１２、１１２ａ…制御部、１１３、１１３ａ…算出部、１１４、１１４ａ…通信部、１１５、１１５ａ…記憶部、１１６ａ…判定部、２１…テレメータ（設置局装置）、３１…データ収集装置
【図１】
2017182357.tif 000006
【図２】
2017182357.tif 000007
【図３】
2017182357.tif 000008
【図４】
2017182357.tif 000009
【図５】
2017182357.tif 000010
【図６】
2017182357.tif 000011